(57)【要約】【課題】ゼオライトより安価かつゼオライトと同程度又はそれ以上の放射性物質に対する吸着力を有する除染用吸着剤を提供すること。【解決手段】（１）珪藻土、泥若しくは粘土、又は、（２）珪藻土が天然で固結したもの、泥岩若しくは粘土岩、を粉砕したものを焼成することによって得られるものであることを特徴とする放射性物質の除染用吸着剤であり、また、珪藻土、泥又は粘土を焼成して固めたものを粉砕することによって得られるものであることを特徴とする放射性物質の除染用吸着剤。【選択図】図２
2015010848.tif 000002
【特許請求の範囲】
【請求項１】
（１）珪藻土、泥若しくは粘土、
又は、
（２）珪藻土が天然で固結したもの、泥岩若しくは粘土岩、を粉砕したもの
を焼成することによって得られるものであることを特徴とする放射性物質の除染用吸着剤。
【請求項２】
珪藻土、泥又は粘土を焼成して固めたものを粉砕することによって得られるものであることを特徴とする放射性物質の除染用吸着剤。
【請求項３】
化学組成が、
ＳｉＯ２  ５０〜８０質量部、
Ａｌ２Ｏ３  ２〜２０質量部、
Ｆｅ２Ｏ３  １〜１０質量部、
ＣａＯ  ０．１〜６質量部、
ＭｇＯ  ０．１〜５質量部、
ＴｉＯ２  ２質量部以下、
Ｎａ２Ｏ  ３質量部以下、
Ｋ２Ｏ  ５質量部以下、
である請求項１又は請求項２に記載の放射性物質の除染用吸着剤。
【請求項４】
上記焼成が、焼成温度が５００℃〜１５００℃、焼成時間が１〜１０時間で、酸素雰囲気下で行われる請求項１ないし請求項３の何れかの請求項に記載の放射性物質の除染用吸着剤。
【請求項５】
請求項１ないし請求項４の何れかの請求項に記載の放射性物質の除染用吸着剤を用い、放射性物質を含む汚染水から放射性物質を除染することを特徴とする除染方法。
【請求項６】
請求項１ないし請求項４の何れかの請求項に記載の放射性物質の除染用吸着剤を詰めたマット、又は、該放射性物質の除染用吸着剤を詰めた袋を複数個連結させた連結マットを、河川、湖沼、ダム、池、田、又は、農業用水路の水底に沈下させ、一定時間後に回収することにより、該水底の土砂中又は水中に含まれる放射性物質を除染することを特徴とする除染方法。
【請求項７】
請求項１ないし請求項４の何れかの請求項に記載の放射性物質の除染用吸着剤を詰めた籠又は網で、河川、ダム、田又は農業用水路の堰を構成させ、一定時間後に回収することにより、水中に含まれる放射性物質を除染することを特徴とする除染方法。
【請求項８】
請求項１ないし請求項４の何れかの請求項に記載の放射性物質の除染用吸着剤を水と共に噴射し、樹木又は建造物に付着した放射性物質を除染することを特徴とする除染方法。
【請求項９】
アブレイシブウォータージェット法を用いて噴射する請求項８に記載の除染方法。
【発明の詳細な説明】
【技術分野】
【０００１】
本発明は、泥、粘土又は珪藻土を原料とし、加工して得られる放射性物質の除染用吸着剤に関するものである。
【背景技術】
【０００２】
原子力発電所の事故で放出された放射性物質により汚染された水、樹木、建造物、土壌等を除染する技術開発が求められている。原子力発電所から大気中に放出された放射性物質は、風の流れに乗って拡散し、雨等によって地表に降り注ぎ、河川やダム・ため池や水田・畑、森林に侵入した。
【０００３】
放射性物質とは、放射性元素を含む物質の総称であり、放射性セシウム（セシウム１３４、セシウム１３７）、放射性ヨウ素（ヨウ素１３１）、放射性ストロンチウム（ストロンチウム９０）が含まれる。特に半減期が長い放射性セシウム（セシウム１３４及びセシウム１３７）を除染する技術開発が求められており、様々な手法が検討されている。
【０００４】
また、河川の淀んだ水底、湖沼やダムの水底、農業用水路の水底等の土砂中又は水中に含まれる放射性物質を除染する技術開発も求められている。例えば、水底に堆積した放射性物質汚染土砂を排出処理する方法があるが、発生廃棄物の処理が問題となっている。
【０００５】
特許文献１では、水にゼオライト粒子及び磁性粒子を含有する造粒物粒子を接触させて、放射性物質等の有害成分を前記造粒物粒子に吸着させ、前記水中の有害成分を吸着した造粒物粒子を水から磁気分離することを特徴とする水の浄化方法が提案されている。
【０００６】
特許文献２では、モルデナイトからなる天然ゼオライトを微粉砕して得られた平均粒径５．０μｍ以下の天然ゼオライト微粒子を水中に分散してなる放射性物質処理剤を放射線汚染廃水に添加することを特徴とする放射線汚染廃水の処理方法が提案されている。
【０００７】
しかしながら、特許文献１又は２に記載の技術で用いられているゼオライトは高価であるという問題点を有しており、経済性に優れ、かつゼオライトと同じ程度又はそれ以上の放射性物質に対する吸着力を有する吸着剤を用いた除染方法は未だ提供されていなかった。
【先行技術文献】
【特許文献】
【０００８】
【特許文献１】特開２００５−１７７７０９号公報
【特許文献２】特開２０１２−２４７４０５号公報
【発明の概要】
【発明が解決しようとする課題】
【０００９】
本発明の課題は、ゼオライトより安価であり、かつ、ゼオライトと同じ程度又はそれ以上の放射性物質に対する吸着力を有する吸着剤を提供することである。
また、簡易な装置や方法で、水底の土砂中又は水中に含まれる放射性物質を取り除き、簡易な装置や方法で、所定の場所まで移動させることができる、放射性物質を除染する吸着剤を提供することである。
【課題を解決するための手段】
【００１０】
本発明者は、上記の課題を解決すべく鋭意検討を重ねた結果、泥、粘土又は珪藻土を原料とし、加工して得られる放射性物質の除染用吸着剤に、放射線物質を含む汚染水を接触させた結果、該除染用吸着剤は、ゼオライトと同じ程度又はそれ以上の放射性セシウムを吸着する性質を有することを見出して本発明をするに至った。
【００１１】
すなわち、本発明は、（１）珪藻土、泥若しくは粘土、
又は、
（２）珪藻土が天然で固結したもの、泥岩若しくは粘土岩、を粉砕したもの
を焼成することによって得られるものであることを特徴とする放射性物質の除染用吸着剤を提供するものである。
以下、この発明の態様を「態様１」とする。
【００１２】
また、本発明は、珪藻土、泥又は粘土を焼成して固めたものを粉砕することによって得られるものであることを特徴とする放射性物質の除染用吸着剤を提供するものである。
以下、この発明の態様を「態様２」とする。
【００１３】
また、本発明は、上記の放射性物質の除染用吸着剤を用い、回収した放射性物質を含む汚染水から放射性物質を除染することを特徴とする除染方法を提供するものである。
【００１４】
また、本発明は、上記の放射性物質の除染用吸着剤を詰めた袋を複数個連結させた連結マットを、河川、湖沼、ダム、池、田、又は、農業用水路（以下、これらを、単に「河川等」と略記する場合がある）の水底に沈下させ、一定時間後に回収することにより、該水底の土砂中又は水中に含まれる放射性物質を除染することを特徴とする除染方法を提供するものである。
【００１５】
また、本発明は、上記の放射性物質の除染用吸着剤を詰めた籠又は網で、河川、ダム、田又は農業用水路の堰を構成させ、一定時間後に回収することにより、水中に含まれる放射性物質を除染することを特徴とする除染方法を提供するものである。
【００１６】
また、本発明は、上記の放射性物質の除染用吸着剤を利用し、アブレイシブウォータージェット法を用いて、樹木又は建造物に付着した放射性物質を除染することを特徴とする除染方法を提供するものである。
【発明の効果】
【００１７】
本発明によれば、ゼオライトより安価であり、かつ、ゼオライトと同じ程度又はそれ以上の放射性物質に対する吸着力を有する放射性物質の除染用吸着剤（以下、単に「吸着剤」と略記する場合がある）を提供することができる。
特に、セシウムイオンを吸着するので、放射性物質であるセシウム１３４やセシウム１３７を除去できる。
【００１８】
本発明の吸着剤を用いれば、樹木、建造物、土壌等を洗浄等して回収した放射性物質を含む汚染水から、放射性物質を吸着により除去することが可能であり、放射性物質が濃縮された状態で、それを移動させたり、埋め立てたり、処分することが可能である。
【００１９】
また、本発明の吸着剤を詰めたマット又は上記吸着剤を詰めた袋を連結させた連結マットを水底に沈めておけば、簡易な方法で、水中の放射性物質を吸着させることができ、また、マット又は連結マットごと引き上げれば、簡易な装置や方法で、放射性物質を吸着した吸着剤を水中から取り除くことが可能である。
また、上記マット又は連結マットを回収すれば、容易に処分場等の別の場所に、放射性物質が濃縮した状態でそれを移動させることが可能である。
【００２０】
また、本発明の吸着剤を詰めた籠又は網で堰を構成させ、一定時間後に回収することにより、水中に含まれる放射性物質を、簡易な装置や方法で水中から取り除くことが可能である。
【００２１】
また、本発明の吸着剤を水等の液体に分散させ、樹木、建造物等の構造体に吹き付けることで、すなわち、アブレイシブウォータージェット方式等を用いることで、該構造体を摩耗させることも、傷つけることも殆どなく、該構造体に付着した放射性物質を、該構造物から除くことが可能である。
【図面の簡単な説明】
【００２２】
【図１】本発明の除染方法で用いられる、移動式汚染水除染装置の一例の縦断面概略図である。
【図２】本発明の除染方法で用いられる、内部に仕切りが設けられたマットの一例を示す説明図である。
【図３】本発明の除染方法を、河川（ａ）及び農業用水路（ｂ）で使用したときの説明図である。
【発明を実施するための形態】
【００２３】
以下、本発明について説明するが、本発明は、以下の具体的態様に限定されるものではなく、技術的思想の範囲内で任意に変形することができる。
【００２４】
＜態様１と態様２に共通＞
本発明は、「回収した放射性物質を含む汚染水」から、該汚染水に含有される放射性物質を吸着させて取り除く用途に用いられたり、「それが詰められたマット又は連結マット」を水底に沈下させた後や、「それが詰められた籠又は網で構成された堰」を回収することにより、水底の土砂中又は水中に含まれる放射性物質を吸着させて取り除く用途に用いられたり、「それを含有する水」を噴射して、樹木又は建造物に付着した放射性物質を取り除く用途に用いられたりする「放射性物質の除染用吸着剤」に係るものである。
【００２５】
本発明の「放射性物質の除染用吸着剤」は、汚染水中、河川等の水底の土砂中や河川等の水中、構造体に含まれる放射性物質等を吸着させることによって、広範囲に存在していた放射性物質を濃縮したり、小さな体積部分に閉じ込めたりすることに用いられる。
【００２６】
本発明に用いられる「珪藻土」とは、珪藻の遺骸からなる堆積物である。
珪藻が海や湖沼などで大量に増殖し死滅すると、その死骸は水底に沈殿する。死骸の中の有機物の部分は徐々に分解されていき、最終的には二酸化ケイ素を主成分とする殻のみが残る。このようにしてできた珪藻の化石からなる土が珪藻土である。多くの場合、白亜紀以降の地層から産出される。
【００２７】
本発明に用いられる「泥」とは、体積平均粒径が６．２５μｍ以下のものを言い、「泥岩」とは、「泥」が堆積して固結してできた堆積岩を言う。
本発明に用いられる「粘土」とは、体積平均粒径が４μｍ以下のものを言い、「粘土岩」とは、「粘土」が圧縮・脱水して固結した堆積岩を言う。
ここで、「堆積岩」とは、海底、湖底等の水底又は地表で堆積した物質が、物理的・科学的変化を受け、固結してできた岩石のことを言う。
【００２８】
本発明に用いられる、泥、粘土、珪藻土、又は、泥岩、粘土岩、「珪藻土が天然で固結したもの」は、各地で産出される何れのものも使用できるが、福島県いわき市産珪藻土は、放射性物質に対する優れた吸着機能を有するため、本発明に用いるのに好ましい。
【００２９】
本発明の「放射性物質の除染用吸着剤」に含まれる金属の化学組成は、特に限定はないが、該金属の酸化物換算で、
ＳｉＯ２  ５０〜８０質量部、
Ａｌ２Ｏ３  ２〜２０質量部、
Ｆｅ２Ｏ３  １〜１０質量部、
ＣａＯ  ０．１〜６質量部、
ＭｇＯ  ０．１〜５質量部、
ＴｉＯ２  ２質量部以下、
Ｎａ２Ｏ  ３質量部以下、
Ｋ２Ｏ  ５質量部以下、
が好ましい。
【００３０】
特に好ましくは、
ＳｉＯ２  ５５〜７５質量部、
Ａｌ２Ｏ３  ５〜１５質量部、
Ｆｅ２Ｏ３  ２〜７質量部、
ＣａＯ  ０．２〜５質量部、
ＭｇＯ  ０．５〜３質量部、
ＴｉＯ２  １質量部以下、
Ｎａ２Ｏ  ２質量部以下、
Ｋ２Ｏ  ３質量部以下
である。
【００３１】
珪藻土が天然で固結したもの、泥岩若しくは粘土岩（以上、態様１）、又は、「珪藻土を焼成して固めたもの」、「泥を焼成して固めたもの」、又は、「粘土を焼成して固めたもの」（以上、態様２）を粉砕する方法に特に限定はないが、ハンマーを使用する方法、遠心力を利用する方法、破砕装置を利用する方法、爆破により粉砕する方法等の公知の方法を使用することができる。
粉砕する装置（粉砕機）としては、特に限定はないが、ジョークラッシャー等の一次破砕機；ハンマーミル、乳鉢等の衝撃又は磨り潰しを利用した粉砕機；ボールミル、ビーズミル等のメディアミル；ジェットミル；ローラーミル等が挙げられる。
【００３２】
個数平均粒径が０．５ｍｍ〜３０ｍｍである吸着剤を得るためには、ハンマーミル、ジェットミル、ボールミル等の粉砕機を用いることが好ましい。個数平均粒径が１５ｃｍ〜２５ｃｍである吸着剤を得るためには、ジョークラッシャー、ロールクラッシャー、コーンクラッシャー等の粉砕機を用いることが好ましい。
【００３３】
＜態様１＞
本発明の態様１は、
（１）珪藻土、泥若しくは粘土、
又は、
（２）珪藻土が天然で固結したもの、泥岩若しくは粘土岩、を粉砕したもの
を焼成することによって得られるものであることを特徴とする放射性物質の除染用吸着剤である。
【００３４】
珪藻土、泥若しくは粘土、又は、珪藻土が天然で固結したもの、泥岩若しくは粘土岩を粉砕後、焼成する方法は特に限定されない。焼成装置を利用する方法等の公知の方法を使用することができ、酸素雰囲気下で行うことが好ましく、空気中で行うことが特に好ましい。
【００３５】
焼成温度についても特に限定されないが、５００℃〜１５００℃で焼成することが好ましく、８００℃〜１４００℃で焼成することがより好ましく、７００℃〜１０００℃で焼成することが特に好ましい。５００℃〜１５００℃の範囲で焼結させると、粒径が小さい場合でも、水中に入れたときに水と混ざり合ったときに、とろとろにならず、そのため、水底から引き上げた後に、処分場で水分を除去し易く、水と吸着剤の合計体積も小さくし易い。また、放射性物質の吸着力が上昇する又は落ちないという効果を奏する。
また、焼成時間は特に限定されないが、１〜１０時間が好ましく、１．５〜７時間がより好ましく、２〜４時間が特に好ましい。焼成時間が短すぎると、十分焼結されず、吸着機能が低下する場合がある。また、水と混ざり合ったときに「とろとろ」になり、水を除去し難くなり、扱い難くなる。
好ましい焼成温度と好ましい焼成時間を組み合わせて焼成することが更に好ましい。
【００３６】
＜態様２＞
本発明の態様２は、珪藻土、泥又は粘土を焼成して固めたものを粉砕することによって得られるものであることを特徴とする放射性物質の除染用吸着剤である。
すなわち、人工的に固めたものを粉砕して得られたものである。
【００３７】
本発明に用いられる「珪藻土を焼成して固めたもの」とは、珪藻土を圧縮・成形後、焼成して固結させたものである。
本発明に用いられる「泥を焼成して固めたもの」とは、泥を圧縮・成形後、焼成して固結させたものである。
本発明に用いられる「粘土を焼成して固めたもの」とは、粘土を圧縮・成形後、焼成して固結させたものである。
本発明に用いられる「珪藻土を焼成して固めたもの」、「泥を焼成して固めたもの」又は「粘土を焼成して固めたもの」の例としては、例えば、瓦、煉瓦等があるが、既存の瓦、煉瓦等以外に、本発明の吸着剤を得るために焼成して固めてもよい。
【００３８】
公知の手法により、上記珪藻土、泥又は粘土を圧縮・成形することができる。
また、焼成条件は、珪藻土、泥若しくは粘土、又は、「珪藻土が天然で固結したもの、泥岩若しくは粘土岩」を粉砕したものを焼成するときの上記した焼成条件と同様である。
【００３９】
＜態様１と態様２に共通の使用態様＞
本発明は、上記により得られた吸着剤を用い、放射性物質を除染することを特徴とする除染方法を提供することができる。
本発明における「除染方法」の「除染」とは、放射性物質を吸着剤に吸着させることによって、広範囲に存在していた放射性物質を、濃縮し（小さな体積部分に閉じ込めて）、放射性物質が吸着した吸着剤を所定の場所に移動させることをいう。
【００４０】
＜汚染水除染装置を用いる除染方法＞
上記により得られた本発明の吸着剤を用いて、放射性物質を含む汚染水から放射性物質を除染することを特徴とする除染方法を提供することができる。本発明の吸着剤を使用する汚染水除染装置は、公知の汚染水除染装置を使用することができるが、図１に好ましい汚染水除染装置の一例を示す。
【００４１】
図１は、汚染水除染装置の一例である。該汚染水除染装置は、移動式とし、トラックの荷台に載せて運ぶこともできる。
処理タンク２の上部に、放射性物質を含む汚染水（以下、単に「汚染水」と略記する場合がある）を注入する給水管６及び放射性物質の除染用吸着剤１７を処理タンク２内の上部から散布する「放射性物質の除染用吸着剤散布ノズル２０」が設けられている。
処理タンク２の壁に排水バルブ８を設け、底部に水止めバルブ９を介して沈殿室１０を取り付けてある。更に、沈殿室１０の底部に放射性物質を吸着させた吸着剤を外部の容器１１に排出する水抜きバルブ１２を設けている。
【００４２】
給水管６から汚染水を処理タンク２内に注入した後、散布ノズル２０から、本発明の吸着剤を処理タンク２内の汚染水の上部から散布する。
本発明の吸着剤が沈降する過程で放射性物質を吸着させ、放射性物質が吸着した吸着剤を沈殿室１０に溜める。そして、水止めバルブ９を閉じて、放射性物質が除去された水を排水バルブ８から外部に排水させる。
【００４３】
排水後、沈殿室１０の水抜きバルブ１２を開いて放射性物質が吸着した吸着剤を容器１１に回収する。
例えば、図１に示した装置を用いることにより、放射性物質が除去された及び放射性物質が吸着した本発明の吸着剤を分離し、別々に回収することができる。
【００４４】
本発明の吸着剤を散布してから除染された水を回収するまでの時間は、特に限定されないが、１時間以上が好ましい。散布する除染用吸着剤の量は、特に限定されないが、汚染水１ｋｇあたり０．２ｇ〜２０ｇが好ましく、０．５ｇ〜１０ｇがより好ましく、１ｇ〜５ｇが特に好ましい。
【００４５】
これに使用される本発明の吸着剤の平均粒径は、特に限定はないが、個数平均粒径として、１μｍ〜１０ｍｍが好ましく、４μｍ〜５ｍｍがより好ましく、１０μｍ〜１ｍｍが特に好ましい。
また、体積平均粒径／個数平均粒径の値が５以下であることが好ましい。
【００４６】
＜マット又は連結マットを用いる除染方法＞
上記により得られた本発明の吸着剤を詰めたマット、又は、該吸着剤を詰めた袋を複数個連結させた連結マットを、河川、湖沼、ダム、池、田、又は、農業用水路の水底に沈下させ、一定時間後に回収することにより、該水底の土砂中又は水中に含まれる放射性物質を除染することを特徴とする除染方法を提供することができる。
【００４７】
上記マットは、除染用吸着剤が流出及び目詰まりしない大きさの網目を有し、内部には該吸着剤が偏らないようになっている仕切りが設けられている。
網目の大きさは、吸着剤が流出も目詰まりもしなければ特に限定されず、網目の形状も長方形でも六角形でもよいが、長方形の一辺換算で、０．０５ｍｍ〜２０ｍｍが好ましく、０．１ｍｍ〜１７ｍｍがより好ましく、０．３ｍｍ〜１５ｍｍが特に好ましく、１ｍｍ〜１０ｍｍが更に好ましい。仕切りは、公知の方法で設けることができる。
【００４８】
マットの大きさは、河川、湖沼、ダム、池、田又は農業用水路の大きさによって決められるが、河川、池、田、農業用水路等の細い又は小さい場合は、連結マットの幅は、端から端までの長さを有していることが好ましい。
また、淀みに放射性物質が滞留する傾向があるので、その部分の大きさであることも好ましい。
【００４９】
マットの内部には吸着剤が偏らないようになっている仕切りが設けられている。該仕切りで区切られた部分の好ましい大きさは、特に限定されないが、長方形の場合、１辺の長さが５ｃｍ〜１５０ｃｍが好ましく、１０ｃｍ〜１００ｃｍがより好ましく、１５ｃｍ〜７０ｃｍが特に好ましい。
マットの区切られた部分の個数は、特に限定されないが、１０個〜１６００個が好ましく、２０個〜８００個がより好ましく、４０個〜４００個が特に好ましい。
マットの一例を示す説明図を図２に示す。
【００５０】
連結マットは、本発明の吸着剤を詰めた袋を複数個連結したものである。
該袋は該吸着剤が流出及び目詰まりしない大きさの網目を有する。網目の大きさや形状は上記マットと同じである。
１個の袋の形は特に限定されないが、上から見て、長方形又は円形が好ましく、長方形がより好ましく、正方形が特に好ましい。
１個の袋の大きさは特に限定されないが、長方形の場合、１辺の長さが５ｃｍ〜１５０ｃｍが好ましく、１０ｃｍ〜１００ｃｍがより好ましく、１５ｃｍ〜７０ｃｍが特に好ましい。
【００５１】
上記袋を連結させる個数は、河川、湖沼、ダム、池、田、農業用水路等の大きさに従って適宜調節され、個数は特に限定されないが、１０個〜１６００個が好ましく、２０個〜８００個がより好ましく、４０個〜４００個が特に好ましい。
【００５２】
連結マットの大きさは、河川、湖沼、ダム、池、田又は農業用水路の大きさによって決められるが、河川、池、田、農業用水路等の細い又は小さい場合は、連結マットの幅は、端から端までの長さを有していることが好ましい。
また、淀みに放射性物質が滞留する傾向があるので、その部分の大きさであることも好ましい。
連結マットの大きさは限定されないが、長方形の１辺の長さ換算で、２ｍ〜５０ｍが好ましく、３ｍ〜３０ｍがより好ましく、５ｍ〜２０ｍが特に好ましい。
【００５３】
袋同士を複数個連結させる連結手段は、特に限定はなく、網目を形成する網同士を紐で括ってもよいし、プラスチックや金属でできた専用の連結器具で連結させてもよい。
【００５４】
上記水底の土砂中又は水中に含まれる放射性物質を除染する方法に使用される吸着剤の平均粒径は、特に限定はないが、個数平均粒径として、０．１ｍｍ〜３０ｍｍが好ましく、０．３ｍｍ〜２０ｍｍがより好ましく、１ｍｍ〜１５ｍｍが特に好ましく、１．５ｍｍ〜１０ｍｍが更に好ましい。個数平均粒径が０．１ｍｍ〜３０ｍｍの場合、袋に入れて使用するときに、吸着剤が袋の網目から流出及び目詰まりしないという効果を奏する。
また、体積平均粒径／個数平均粒径の値が５以下であることが好ましい。
【００５５】
河川、湖沼、ダム、池、田、農業用水路等から引き上げるために、マット２２又は連結マットの両端に、水底から引き上げるための手段２４を設ける。
河川、農業用水路等でマット２２を使用したときの説明図を、図３（ａ）及び（ｂ）に示す。
水底から引き上げるための手段２４を、柱、杭、クレーン等を用いて固定することにより、マット２２が水流によって移動することを防止することができる。
また、水底から引き上げるための手段２４は、マット２２を水底から引き上げるためにも好適に用いられる。
水底から引き上げるための手段２４は、特に限定されないが、ロープ、ワイヤ等を用いることができる。
【００５６】
マット２２又は連結マットを河川やダム等の水底に沈下させてから引き上げるまでの時間は、特に限定されないが、１週間〜１０年の期間が好ましく、１か月〜５年の期間がより好ましく、２か月〜３年の期間が特に好ましい。
【００５７】
＜堰を用いる除染方法＞
上記により得られた本発明の吸着剤を詰めた籠又は網で、河川、ダム、田又は農業用水路の堰を構成させ、一定時間後に回収することにより、水中に含まれる放射性物質を除染することを特徴とする除染方法を提供することができる。
【００５８】
籠又は網の網目の大きさは、吸着剤が流出も目詰まりもしなければ特に限定されず、網目の形状は長方形でも六角形でもよいが、長方形の一辺換算で、１〜２０ｃｍが好ましく、３〜１５ｃｍがより好ましく、５〜１０ｃｍが特に好ましい。
該籠又は網の材質は、金属、天然繊維、合成繊維が好ましい。
【００５９】
網の大きさは、河川、ダム、田又は農業用水路の大きさによって決められるが、吸着剤を詰めた籠又は網により構成される堰の幅は、河川等の端から端までの長さを有していることが好ましい。
【００６０】
吸着剤を詰めた籠又は網で、水中に含まれる放射性物質を除染することを特徴とする除染方法に使用される該吸着剤の平均粒径は、特に限定はないが、個数平均粒径として、０．５ｃｍ〜２５ｃｍが好ましく、５ｃｍ〜１８ｃｍがより好ましく、１５ｃｍ〜２５ｃｍであることが特に好ましい。
また、体積平均粒径／個数平均粒径の値が５以下であることが好ましい。
【００６１】
吸着剤を詰めた籠又は網で堰を設けてから、該籠又は網を回収するまでの時間は特に限定されない。１週間〜１０年の期間が好ましく、１か月〜５年の期間がより好ましく、２か月〜３年の期間が特に好ましい。
【００６２】
＜吸着剤を水と共に噴射する除染方法＞
上記した本発明の吸着剤を、水と共に噴射し、樹木又は建造物に付着した放射性物質を除染する除染方法も、本発明の吸着剤の使用態様として好ましい。
上記により得られた本発明の吸着剤を利用し、アブレイシブウォータージェット法又はウェットブラスト法を用いて、樹木又は建造物に付着した放射性物質を除染することを特徴とする除染方法を提供することができる。
【００６３】
ノズルヘッドに一定の水圧で供給される水に吸着剤を混ぜ合わせたものをノズルから噴射することにより、樹木の表皮を剥ぎ取らずに、樹木又は建造物に固着した放射性物質を除染することができる。特に、樹木の表皮又は建造物の表面の溝又は凸凹面に固着した放射性物質を除くことができる効果を奏する。
【００６４】
樹木又は建造物に付着した放射性物質を除染することを特徴とする除染方法に使用される上記吸着剤の平均粒径は、個数平均粒径として、１〜１００μｍが好ましく、２〜７０μｍがより好ましく、５〜５０μｍが特に好ましい。
また、体積平均粒径／個数平均粒径の値が５以下であることが好ましい。
【００６５】
樹木に使用する場合の水圧は、好ましくは０．６〜１０ＭＰａ、より好ましくは０．８〜５ＭＰａ、特に好ましくは１〜２ＭＰａである。
建造物に使用する場合の水圧は、好ましくは１〜１５ＭＰａ、より好ましくは、２〜１２ＭＰａ、特に好ましくは５〜１０ＭＰａである。
上記水圧より高いと、樹木の表皮又は建造物の表面を削り取ってしまう場合がある。また、上記水圧より低いと、樹木又は建造物に付着した放射性物質を十分に除けない場合がある。
【００６６】
本発明の吸着剤を含有しない水を噴射させると、より高い水圧が必要となる場合があり、その場合、樹木の表皮又は建造物の表面を削り取ってしまう場合がある。
樹木又は建造物の凹凸の内部に付着等している放射性物質は、上記水圧より高い水圧で噴射させないと除けない場合があるが（例えば、所謂、超高圧で水を噴射させる必要があるが）、本発明の吸着剤を含有した水を噴射させると、所謂、超高圧で水を噴射させることなく、前記した水圧で、樹木又は建造物の凹凸の内部に付着等している放射性物質を除くことが可能である。
また、上記方法を使用することにより、すなわち、本発明の吸着剤を含有した水を噴射させることにより、大量の水を使わずに除染することができる。
【００６７】
樹木又は建造物の下には、水が土中に浸透をすることを防ぐような、水を溜めるシートを敷いておくことが好ましい。
該シート上に溜まった汚染水は、前記汚染水除染装置を用いる除染方法に供することが好ましい。
【００６８】
上記により得られた放射性物質の除染用吸着剤を用いて、放射性物質を除染することを特徴とする除染方法では、水中の全体に広がっていた放射性物質が、小さい体積部分（質量部分）に濃縮されるので、その後の処分が容易になる。放射性物質が吸着した吸着剤は、所定の場所に移動して、常法に従って処分される。
【実施例】
【００６９】
以下に、実施例及び比較例を挙げて本発明を更に具体的に説明するが、本発明は、その要旨を超えない限りこれらの実施例に限定されるものではない。
【００７０】
実施例１
＜放射性物質の除染用吸着剤の調製＞
吸着剤の原料として、福島県いわき市で産出された珪藻土を使用した。このいわき産珪藻土の金属の化学組成を表１に示す（数値は酸化物換算であり、表の単位は質量部である）。
該珪藻土を、ハンマーミルで個数平均粒径３ｍｍに粉砕し、空気中で、１１００℃で３時間焼成して吸着剤を得た。得られた除染用吸着剤の個数平均粒径は３ｍｍであった。
【００７１】
【表１】
2015010848.tif 000003
【００７２】
＜放射性物質の吸着性能の検証試験＞
放射性物質を含む汚染水（セシウム１３４とセシウム１３７によって、７８０Ｂｑ／ｋｇに汚染）１０００ｇに、上記方法で得られた除染用吸着剤１０ｇ（汚染水に対して１質量部）を撹拌しながら１時間浸した。
その後、除染用吸着剤を取り出して、吸着した放射線量を測定した。放射線量の測定は、ＳＥＧ−ＥＭＳ（セイコー・イージーアンドジー社製）を用いて、常法に従って測定した。
【００７３】
比較例１
実施例１において、上記方法で得られた除染用吸着剤に代えて、ほぼ同じ個数平均粒径と粒径分布を有するゼオライトを用いて、実施例１と同様に吸着した放射線量を測定した。
結果をまとめて以下の表２に記載する。
【００７４】
【表２】
2015010848.tif 000004
【００７５】
表２の結果より、本発明の吸着剤を使用したことによる放射線量の低減率（ｂ／ａ）は、ゼオライトを用いた場合よりも高かった。以上のことから、ゼオライトと少なくとも同等又はそれ以上の、放射性セシウムに対しての吸着力があることが分かった。
【００７６】
撹拌下での１時間の浸漬で、放射性セシウムを吸着することができたことから、汚染水洗浄装置を用いて、本発明の吸着剤及び汚染水を混合させ、一定時間後回収することにより、該汚染水に含まれる放射性物質を除染することができる。
【００７７】
撹拌下での１時間の浸漬で、放射性セシウムを吸着させることができたことから、河川、ダム等の水底に、本発明の吸着剤が詰まったマット又は該吸着剤が詰まった袋を連結させた連結マットを沈下させ、一定期間静置して回収することにより、該水底の土砂中又は水中に含まれる放射性物質を除染することができる。
実際の水底への静置期間は、１週間〜１０年が好適であることが予想される。
【００７８】
撹拌下での１時間の浸漬で、放射性セシウムを吸着させることができたことから、本発明の吸着剤を詰めた籠又は網で、河川、ダム、田又は農業用水路の堰を構成させ、一定時間後に回収することにより、水中に含まれる放射性物質を除染することができる。
堰を設けてから該籠又は網を回収するまでの実際の期間は、１週間〜１０年が好適であることが予想される。
【００７９】
撹拌下での１時間の浸漬で、放射性セシウムを吸着させることができたことから、本発明の吸着剤を水と共に噴射し、樹木又は建造物に付着した放射性物質を除染することが可能である。
【００８０】
実施例２
＜放射性物質の除染用吸着剤の調製＞
実施例１で使用した福島県いわき市で産出された珪藻土を原料として使用した。該珪藻土を、ボールミルで個数平均粒径０．０５ｍｍに粉砕し、空気中で、１１００℃で３時間焼成して除染用吸着剤を得た。得られた除染用吸着剤の個数平均粒径は０．０５ｍｍであった。
【００８１】
＜汚染された樹木の除染能力に対する検証試験＞
ノズルヘッドに１ＭＰａの水圧で供給される水に除染用吸着剤を混合させ、該混合物をノズルから汚染された樹木に噴射した。
除染前後の樹木の表皮を削り取り、放射線量をＳＥＧ−ＥＭＳ（セイコー・イージーアンドジー社製）を用いて、常法に従って測定した。
その結果、除染前の樹木の表皮の放射線量は１３１００Ｂｑ／ｋｇであったのに対し、除染後の樹木の表皮の放射線量は１５５０Ｂｑ／ｋｇであった。
樹木の表面は、削り取られもせず、傷も付かなかった。
以上のことから、アブレイシブウォータージェット法等を用いて、本発明の吸着剤を水と共に噴射することによって、樹木又は建造物に付着した放射性物質を除染することができることが分かった。
【００８２】
実施例３
＜吸着剤の調製＞
福島県いわき市の海岸で産出された粘土岩を、ハンマーミルで個数平均粒子径３ｍｍに粉砕した。
粉砕したものを、空気中で、１１００℃で３時間焼成して吸着剤を得た。得られた吸着剤の個数平均粒子径は３ｍｍであった。
【００８３】
＜放射性物質の吸着性能の検証試験＞
放射性物質を含む汚染水（セシウム１３４とセシウム１３７によって、７８０Ｂｑ／ｋｇに汚染）１０００ｇに、上記方法で得られた吸着剤１０ｇ（汚染水に対して１質量％）を撹拌しながら１時間浸した。
その後、吸着剤を取り出して、吸着した放射線量を測定した。放射線量の測定は、ＳＥＧ−ＥＭＳ（セイコー・イージーアンドジー社製）を用いて、常法に従って測定した。
前記した比較例１の結果とまとめて以下の表３に記載する。
【００８４】
【表３】
2015010848.tif 000005
【００８５】
表３の結果より、粘土岩から得られた本発明の吸着剤は、ゼオライトと同等又はそれ以上の、放射性セシウムに対しての吸着力があることが分かった。
撹拌下での１時間の浸漬で、放射性セシウムを吸着させることができたことから、実施例１の吸着剤は、実施例１で記載した全ての除染方法に有効である。
【産業上の利用可能性】
【００８６】
本発明による放射性物質の除染用吸着剤を用いることにより、特に、河川の淀んだ水底、ダムやため池の水底、農業用水路の水底の土砂に多く堆積している放射性物質を除染及び流出拡散を低減し、また、構造物に付着した放射性物質を効率よく除去できるので、人や他の動植物への移行を防ぐことが可能となり、吸着剤及びそれを使用する分野に広く用いられるものである。
【符号の説明】
【００８７】
１  汚染水除染装置
２  処理タンク
３  汚染水タンク
４  汚染水
６  給水管
８  排水バルブ
９  水止めバルブ
１０  沈殿室
１１  容器
１２  水抜きバルブ
１７  放射性物質の除染用吸着剤
２０  放射性物質の除染用吸着剤散布ノズル
２２  内部に仕切りが設けられたマット
２３  仕切りで区分けされたマットの一部
２４  水底から引き上げるための手段
２５  仕切り
【図１】
2015010848.tif 000006
【図２】
2015010848.tif 000007
【図３】
2015010848.tif 000008